(57)【要約】【課題】  着用感に優れ、肌にやさしく、血流促進効果の高い血流促進具及び血流促進具の製造方法を提供できるようにする。【解決手段】  ゲルマニウムを含有する繊維で形成された筒状編地の中央近傍部に開口を形成し、この開口部の周縁に解れ止め施し、開口部を開くことにより、この開口部を扁平な肩乃至は首覆い部分とするとともに、両端の筒状部を腕通し部分にした。【選択図】図１
2006271775.tif 000002
【特許請求の範囲】
【請求項１】
ゲルマニウムを含有する繊維で形成された筒状編地の中央近傍部に開口を形成し、この開口部の周縁に解れ止め施し、開口部を開くことにより、この開口部を扁平な肩乃至は首筋を覆う帯状部分とするとともに、両端の筒状部を腕通し部分にしたことを特徴とする血流促進具。
【請求項２】
ゲルマニウムが無機ゲルマニウムである請求項１に記載の血流促進具。
【請求項３】
筒状編地が丸編機または横編機で形成したことを特徴とする請求項１に記載の血流促進具。
【請求項４】
丸編機または横編機でゲルマニウムを含有する繊維を編糸として筒状の編地を編成し、この筒状編地の中間部分をそのウエール方向に切り開いて開口部を形成するとともに、開口部の周縁を解れ止めすることにより開口部分に肩乃至は首筋を覆う帯状部分を、両端に筒状の腕通し部分を形成するようにしたことを特徴とする血流促進具の製造方法。
【請求項５】
解れ止めが、開口部の周縁に伸縮性を有するテープ状部材を縫着手段で縫着してなる請求項４に記載の血流促進具の製造方法。
【発明の詳細な説明】
【技術分野】
【０００１】
本発明は、肩部分の血流を促進する血流促進具及びその製造方法に関するものである。
【背景技術】
【０００２】
デスクワークやストレスで緊張が続く現代では肩こりが多くなっている。
こうした肩こりを解消する方法としては、磁気を有するネックレスを首にかけて磁石の磁界で血流を促進するようにしたもの（特許文献１）や、磁石とその周囲にイオン化傾向を示す金属をシートに設け、このシートを肩こり部分に貼着し、磁界とイオンにより血流を促進するようにしたもの（特許文献２）が提案されている。
【特許文献１】特開２００５−００２３７４号公報
【特許文献２】特開平１０−１１３３９９号公報
【発明の開示】
【発明が解決しようとする課題】
【０００３】
ところが上記特許文献１に公報に記載されたネックレスでは、運動等でずれ動き、所望の場所からずれやすいことから、充分な血流促進効果を期待できないという問題があった。
しかも、ネックレスはチェーン状になっていることから、ゴロゴロし、筋肉が弛緩し、肩のコリがほぐれやすい睡眠中には着用し難いという問題もあった。
また、磁石とその周囲にイオン化傾向を示す金属を設けたシートを肩こり部分に貼着して磁界とイオンにより血流を促進するようにしたものでは、局部的にしか血流を促進することができないという問題に加えて、貼着の使用が長期になると蒸れたり、かぶれたりするという問題もあった。
本発明は上記問題点に鑑みて提案されたもので、着用感に優れ、肌にやさしく、血流促進効果の高い血流促進具及び血流促進具の製造方法を提供できるようにすることを目的とするものである。
【課題を解決するための手段】
【０００４】
上記目的を達成するために本発明にかかる血流促進具は、ゲルマニウムを含有する繊維で形成された筒状編地の中央近傍部に開口を形成し、この開口部の周縁に解れ止め施し、開口部を開くことにより、この開口部を扁平な肩乃至は首筋を覆う帯状部分とするとともに、両端の筒状部を腕通し部分にしたことを最も主要な特徴とするものである。
【０００５】
本発明にかかる血流促進具の製造方法は、丸編機または横編機でゲルマニウムを含有する繊維を編糸として筒状の編地を編成し、この筒状編地の中間部分をそのウエール方向に切り開いて開口部を形成するとともに、開口部の周縁を解れ止めすることにより開口部分に肩乃至は首筋を覆う帯状部分を、両端に筒状の腕通し部分を形成するようにしたことを最も主要な特徴とするものである。
【発明の効果】
【０００６】
本発明によれば、両端部分の筒状部に腕を通し、開いて帯状にした開口部で肩を覆うと、当該編地を形成する繊維に含有するゲルマニウムにより、覆われた肩から両腕に掛けて血流が促進され、肩のコリがほぐされる。
そして、本発明の血流促進具は編地で形成されていることから、着用時にも違和感がなく、睡眠の妨げにならないので寝るときにも着用でき、血流促進効果を充分に発揮させることができる利点がある。
また、編地で形成されていることから着用感に優れ、肌にやさしく、従来のシート式のもののように長時間の使用でも、蒸れたりかぶれたりすることがない。
【０００７】
更に、本発明の血流促進具の製造方法によれば、ゲルマニウムを含有する繊維を編糸として筒状の編地を編成し、この筒状編地の中間部分をそのウエール方向に切り開いて開口部の周縁を解れ止めすることにより開口部分に肩乃至は首筋を覆う帯状部分を、両端に筒状の腕通し部分を形成するだけの簡単な方法であり、上記効果を有する血流促進具を安価に実施することができる利点がある。
【発明を実施するための最良の形態】
【０００８】
血流促進具では、筒状編地を丸編機または横編機で形成することが望ましい。
また、血流促進具の製造方法では、解れ止めが、開口部の周縁に伸縮性を有するテープ状部材を縫着手段で縫着することが望ましい。
以下本発明にかかる好ましい実施の形態を図面に基づいて説明する。
【実施例１】
【０００９】
図１は本発明にかかる血流促進具の正面図であって、図中符号１は血流促進具を全体的に示す。
血流促進具１は、自由状態において約８２ｃｍで、両端に約８ｃｍφの筒状部２・２が形成されるとともに、中間部分を開口させて後述する使用時に肩乃至首筋を覆う帯状部分３が形成されている。
この血流促進具１の製造方法について説明すると、先ず、編糸としてポリエステル等の合成繊維を使用するのであるが、この繊維の原料中にゲルマニウム粉末を混練し、これを紡出する。これにより、編糸はゲルマニウムを含んだものとなる。
【００１０】
こうしたゲルマニウムを含んだ編糸を丸編機で上記寸法に両端部の折り返し代４・４を含んだ長さの筒状に形成する。
そして編み出し及び編み終わりの折り返し部分では、その端部を筒状の内面にリンキング等の縫着手段により縫着して図２に示す筒状の編地５を形成する。
次に、図２中に点線６で示すように両端の筒状部２・２となる部分を残して切り開く。
しかる後、その切り開かれた部分７の周縁に伸縮性を有するテープ状部材８を縫着手段で縫着して当該部分の解れ止めをすると、本発明にかかる血流促進具１が完成する（図１参照）。
このとき、このテープ状部材８を形成する繊維もゲルマニウムを含んだ繊維の編地が望ましい。
【００１１】
上記のように形成された血行促進具１を使用する手順を次に説明する。
先ず、開口部分７から手を入れて両端の筒状部２・２に通す。
すると、図３に示すように開口部分７が広がって、１枚の帯状になり、この帯状部分３で両肩乃至首筋１０部分から左右の上腕部１１に掛けた外側部分が覆われ、手首部分１２から上腕部１１の近傍までは筒状部２で覆われる。
こうして覆われた肩９乃至首筋１０を覆う帯状や上腕部１１及び手首部分１２から上腕部１１の近傍は最も好ましい状態で覆われることになる。
【００１２】
即ち、肩９乃至首筋１０は帯状部分３で覆われ、上腕部１１は冷えやすい外側が覆われるとともに、大きく動き、周面から冷えやすい手首部分１２から上腕部１１の近傍まではその周囲が筒状部２で覆われるのである。
斯くして装着された血行促進具１は、その編地による保温性に加えて繊維に含有されたゲルマニウムの血行促進作用等の相乗効果により、その血行促進効果が高められる。
【００１３】
尚、上記実施の形態では編地を編成する編糸をポリエステルにしてあるがこうしたものに限られず、ナイロンやアクリル等の合成繊維にすることもできる。
また、上記実施の形態では編地を編成する編糸を紡出する時にゲルマニウム粉末を原料に混練するようにしてあるが、こうしたものに限られず、上記の形態に編成された製品または編糸にゲルマニウム粉末を含んだ糊剤や樹脂を塗布することもできる。
このように塗布でゲルマニウム粉末を編地もしくは編糸に付与する場合には、綿やシルク等の天然繊維の編糸やこれで編成された編地にもゲルマニウムを付与することができるのである。
加えて、上記実施の形態では、一旦、筒状編地を所定の長さに編成し、これを切り開いて開口部を形成するようにしてあるが、こうしたものに限られず、例えば丸編の周回編成コースをその途中で引き返す、所謂引き返し編みにより開口部を形成することもできるのはいうまでもないことである。
【００１４】
更に、実施の形態では、本発明にかかる血行促進具１を図３上、下着の上から着用するようにしてあるが、肌に直接触れるように着用すると、一層の血流促進効果を期待することができる。
【図面の簡単な説明】
【００１５】
【図１】は本発明にかかる血行促進具の斜視図である。
【図２】は本発明にかかる血行促進具の製造過程の説明図である。
【図３】は本発明にかかる血行促進具の使用状態を示す正面図である。
【符号の説明】
【００１６】
１・・・血行促進具
２・・・筒状部
３・・・帯状部分
７・・・開口部分
８・・・テープ状部材
【図１】
2006271775.tif 000003
【図２】
2006271775.tif 000004
【図３】
2006271775.tif 000005